(57)【要約】【課題】本考案は、ＵＶ−Ａ及びＵＶ−Ｂを防止できる繊維を織り込んだ布地で縫合したフェイスマスクを、立体的かつ頬全体や目下を覆い隠す部分を有する形状で提供する。【解決手段】紫外線Ａ波及び紫外線Ｂ波を防止する布からなるマスク主体１を有する立体的なフェイスマスクである。前記フェイスマスクは、中央部に鼻・口を覆う立体的な形状の隆起部を有し、左右両側に目尻被覆部８及び頬被覆部９を有し、左右両端に頭部固定部４を有し、当該頭部固定部には長さ調整具４ａを有し、マスク主体、補助布、及び裏面マスク主体の３層構造を有することを特徴とするフェイスマスクであり、鼻・口を覆う隆起部の裏面に、更にメッシュ布を有することが好ましい。【選択図】図１
0003191345.tif 000002
【実用新案登録請求の範囲】
【請求項１】
紫外線Ａ波及び紫外線Ｂ波を防止する布からなるマスク主体を有する立体的なフェイスマスクであり、当該フェイスマスクは、中央部に鼻・口を覆う立体的な形状の隆起部を有し、左右両側に目尻被覆部及び頬被覆部を有し、左右両端に頭部固定部を有し、当該頭部固定部には長さ調整具を有し、マスク主体、補助布、及び裏面マスク主体の３層構造を有することを特徴とするフェイスマスク。
【請求項２】
裏面マスク主体の鼻・口を覆う隆起部に、更にメッシュ布を有することを特徴とする請求項１に記載のフェイスマスク。
【考案の詳細な説明】
【技術分野】
【０００１】本考案は、紫外線Ａ波（ＵＶ−Ａ）及び紫外線Ｂ波（ＵＶ−Ｂ）を防止する布を使用した、立体的なフェイスマスクに関するものである。
【背景技術】
【０００２】従来、紫外線による頬付近の日焼け、しみ・そばかすなどのダメージを防止しようとする場合、肌に負担のかかる紫外線防止剤を塗布しなければならず肌に負担がかかっていた。また、現在提供されている、頬を覆う形状の紫外線防止衣類等は、洗浄を行うと効果の落ちるものや、その特異で不自然な形状により日常生活において装着しにくく、実用性が低いものであった。
【先行技術文献】
【特許文献】
【特許文献１】実用新案登録第３１４７０９９号公報
【特許文献２】実用新案登録第３１８６５２６号公報
【考案の概要】
【考案が解決しようとする課題】
【０００３】今まで紫外線Ａ波（ＵＶ−Ａ）及び紫外線Ｂ波（ＵＶ−Ｂ）による、肌へのダメージ（日焼け、しみ・そばかす、しわ・たるみ等）を防ぐ対策を考えた場合、肌に負担の大きい紫外線防止剤や紫外線吸収剤の塗布や、日傘をさす方策等しかなく、負担があった。
一般的に流通されている形状のフェイスマスクでは、ＵＶ防止加工がされていない為、ＵＶを避けることが出来ず、ＵＶによる肌ダメージを防ぐことはできなかった。
また、ＵＶ防止剤をマスク自体に噴霧しているＵＶ防止フェイスマスクは、洗浄後はその効果を持続できないため、繰り返しの洗浄や長期間の使用は、ＵＶ防止機能を維持することができない。また、このようなＵＶ防止フェイスマスクは、一般に流通しているフェイスマスクと形状が大きく異なる非日常的なものが多く、日常生活において、その特異な形状により手軽に装着するのが困難である為実用性が低い。
さらに一般的なフェイスマスクに似た形状でＵＶ防止剤が噴射されているものであっても、頬全体や目下を覆い隠す形状のものがないため、露出部分にＵＶ防止剤を塗布せざるを得なく、やはり肌に負担がかかるものであった。
【課題を解決するための手段】
【０００４】本考案は、ＵＶ−Ａ及びＵＶ−Ｂを防止できる繊維を織り込んだ布で縫合したフェイスマスクを、立体的かつ頬全体や目下を覆い隠す部分を有する形状で提供する。
本考案は、紫外線Ａ波及び紫外線Ｂ波を防止する布からなるマスク主体を有する立体的なフェイスマスクであり、当該フェイスマスクは、中央部に鼻・口を覆う立体的な形状の隆起部を有し、左右両側に目尻被覆部及び頬被覆部を有し、左右両端に頭部固定部を有し、当該頭部固定部には長さ調整具を有し、マスク主体、補助布、及び裏面マスク主体の３層構造を有することを特徴とするフェイスマスクである。より好ましくは、裏面マスク主体の鼻・口を覆う隆起部に、更にメッシュ布を有することを特徴とする前記のフェイスマスクである。
【考案の効果】
【０００５】本考案である紫外線防止布を使用したフェイスマスクは、紫外線Ａ波および紫外線Ｂ波防止機能のある布を使用しているため、紫外線ダメージから肌を保護できる。本考案であるフェイスマスクは、目尻周辺や頬全体を覆い隠すことでＵＶダメージを受けやすい部分への肌ダメージを確実に防止することができる。また、日常生活での使用に適した形状である為、装着するだけで、あらゆる生活場面において装着し得るものであり、肌ダメージを防止したいが時間のない使用者や、肌が弱く紫外線防止剤を塗布したくない使用者などへ有用である。さらに洗浄後もＵＶ防止効果を維持するため、使い捨てを行う必要がなく、繰り返しの洗浄により清潔を保ちつつ長期間使用できるため、経済的にも環境保護の観点からも有用なものである。
【図面の簡単な説明】
【０００６】
【図１】  本考案のフェイスマスクの正面図である。
【図２】  本考案のフェイスマスクの裏面の展開図である。
【図３】  本考案のフェイスマスクの側面図である。
【図４】  本考案のフェイスマスクの装着時の図である。
【考案を実施するための形態】
【０００７】「紫外線Ａ波（ＵＶ−Ａ）及び紫外線Ｂ波（ＵＶ−Ｂ）を防止する布」とは、ＵＶ−Ａ領域（３２０〜４００ｎｍ）とＵＶ−Ｂ領域（２９０〜３２０ｎｍ）の紫外線を反射及び／または吸収する機能を有する布をいい（以下、「紫外線防止布」と言うこともある。）、これらの機能を有する合成繊維や、カーボンやセラミック、チタンなのどの無機物質、化粧品などの使用されている有機物質等を繊維製造時に織り込んだり、練りこんだりすることで製造可能である。このＵＶ−Ａ及びＵＶ−Ｂを防止する布は、例えば、ポリエステル、レーヨン、キュプラ、綿、ナイロン、ウール、又はこれらの混紡の繊維からなる織布、編布、不織布等であり、より好ましくはポリエステル、レーヨン、又はこれらの混紡の繊維からなる布である。このＵＶ防止機能を有する布は、好ましくは８０％以上、より好ましくは９０％以上、更に好ましくは９５％以上のＵＶ−Ａ及びＵＶ−Ｂを防止することが出来る。また、このＵＶ防止機能を有する布のＵＶ−Ａ及びＵＶ−Ｂの透過率は、好ましくは２０％以下、より好ましくは１０％以下、更に好ましくは５％以下である。
【０００８】以下に、図面を参照しつつ本考案の好ましい実施の形態を示す。
図１は、本考案にかかる紫外線防止布を使用した立体的フェイスマスクの一例を示す正面図、図２は図１を裏面側から見た図、図３は図１を側面から見た図である。図において、１はマスク主体であり装着時には外部の紫外線に直接にさらされる部分であり、ポリエステル、レーヨン等またはこれらの混紡の繊維を主体とした紫外線防止布からなるものである。また、２はマスク主体の中央部の縫合部分である。本縫合部２により、マスク主体が鼻や口唇に密着することによる息苦しさを防止したり、また化粧時にその化粧品のマスク主体への色移りを防止したりする為の立体的な形状である隆起部を創出することができる。３はマスク全体及び中央部の立体的形状を補助する為の、例えばナイロン、ポリウタレンからなる伸縮性のある布で上下を縫合している部分である。４は前記マスク主体１の左右両側に設けられている頭部へ装着するための頭部固定部である。
【０００９】図示のものでは、頭部固定部４に長さ調整具４ａが取り付けられており、これにより固定部４の長さを任意に調整してあらゆる使用者に対応することができ、また使用用途に応じて締め付け力も任意に調整することが可能となる。
【００１０】５は肌接着部である裏面のマスク主体であり、マスク主体１の外形と同形状である。裏面マスク主体５は、マスク主体１と同一の布を折りたたんで形成しても、別々の布を用意して形成してもよい。その素材は、例えば肌触りの良い通気性の良い布、例えばナイロン等でも良いし、マスク主体１と同様のポリエステル、レーヨン等またはこれらの混紡を主体とした紫外線防止布でも良い。また、マスク主体１と裏面マスク主体５の間に更に補助布を有するような３層構造にすることにより、本考案であるフェイスマスクがより立体的な形状を保つよう形成されている。この補助布の形状は好ましくはマスク主体１の外形と同形状であり、その素材は、好ましくは不織布であり、ポリエステルやナイロンなどがより好ましい。
【００１１】図示のものでは、裏面マスク主体５に、６のように肌触りのよいメッシュ状の布を縫合し、快適性を向上させている。このメッシュ状の布６（以下、「メッシュ布」ということもある。）においても７の中央部を縫合することにより立体的な形状が形成することが可能である。またメッシュ布６は、その両端をマスク主体に縫合しないことにより、湿った布を入れて、乾燥を防ぐ等様々な用途に使用できる様、形成することが出来る。メッシュ布６は好ましくは不織布であり、より好ましくはポリエステル繊維からなるメッシュ状の布である。
【００１２】マスク主体１の左右両側上部には、目の下や目尻周辺を覆う目尻被覆部８が上側、耳部に近い頬被覆部９が耳側に向けて延設されており、マスク装着時においてこの目尻被覆部８と耳部に近い頬被覆部９が左右の目の下や目尻周辺部、頬端周辺をしっかりと覆うようになっている。
【００１３】  また、左右両側に設けられている頭部へ装着するための固定部４は、左右の固定部４を耳に掛けることで当該フェイスマスクの装着が可能であり、固定部４は弾性体（例えばゴム）等からなるリング状の部材である。図示のものは伸縮性のある平面状のゴムで形成されており、長時間使用時でも顔面にゴムの形跡が残らないよう工夫されている。長さ調節具４ａによって、様々な生活場面、使用者に適応できる形状となっている。当該調節具４ａによって、マスクを顔面に密着させることができて優れたフィット感を得ることができ、また顔面との隙間がなくなるので紫外線侵入による日焼けも確実に防止することができる。
【００１４】    特に、本考案ではマスク主体１の左右両側上部に目の下や目尻周辺を覆う目尻被覆部８が上側、耳部に近い頬被覆部９が耳側に向けて延設されているので、図４に示されるように、目尻周辺部や頬部がしっかりと覆われた状態となり、この部位の日焼けを確実に防止することができる。この目尻周辺部の日焼けはシミやしわ発生の要因となる可能性が高く、この部位の日焼けを防止できる日常的に装着できるマスクは従来なかったものであり画期的な考案である。
更には、本考案は通気性の高い紫外線防止布を使用したマスク主体を立体的に縫合し、息苦しさや顔面の化粧品付着を避け、不快感を防止し心地よい使用感が得られるという利点を有するものである。
【符号の説明】
【００１５】  １  マスク主体
２  正面中央縫合部
３  上下縫合部
４  頭部固定部
４ａ  長さ調整具
５  裏面マスク主体
６  メッシュ布
７  裏面中央縫合部
８  目尻被覆部
９  頬被覆部
【図１】
0003191345.tif 000003
【図２】
0003191345.tif 000004
【図３】
0003191345.tif 000005
【図４】
0003191345.tif 000006